(57)【要約】【課題】  製造が容易でコストがかからず、現場への搬送、現場での組立・解体が容易な先行手摺り用支柱及び先行手摺り組立セットを提供する。【解決手段】  手摺り用支柱１には、支柱本体３の下端部に建枠２０の脚柱２１に固定する脚柱取付部２を備え、支柱本体３の少なくとも上端部に手摺り棒１１の両端部に設けた開口部１３ａ，１３ｂが係合する手摺り棒係止部５を備え、支柱本体３の下端部と上端部との途中には建枠２０の腕木２２に掛ける腕木掛止部４を備える。【選択図】  図１
2005220534.tif 000002
【特許請求の範囲】
【請求項１】
支柱本体の下端部に建枠の脚柱に固定する脚柱取付部を備え、前記支柱本体の少なくとも上端部に手摺り棒の両端部に設けた開口部が係合する手摺り棒係止部を備え、前記支柱本体の下端部と上端部との途中には建枠の腕木に掛ける腕木掛止部を有していることを特徴とする先行手摺り用支柱。
【請求項２】
前記脚柱取付部は、建枠の脚柱に対して着脱自在な固定手段を有していることを特徴とする請求項１に記載の先行手摺り用支柱。
【請求項３】
支柱本体の下端部に建枠の脚柱に固定する脚柱取付部を備え、前記支柱本体の少なくとも上端部に手摺り棒係止部を備え、前記支柱本体の下端部と上端部との途中には建枠の腕木に掛ける腕木掛止部を有した支柱と、該支柱に組み合わす手摺り棒とを含み、
前記手摺り棒は、両端に前記手摺り棒係止部と係合する支柱係合部を有しており、該支柱係合部には、前記手摺り棒の軸心と平行な対向二辺と前記手摺り棒の軸心と直交する対向二辺とを有する略矩形状の開口部を形成しており、
前記手摺り棒係止部は、前記開口部に差し込み可能な係止板を前記支柱本体から外側に向けて突設したものであり、
前記係止板には、前記手摺り棒の軸心と平行な対向二辺の間隔よりも狭い凹部と広い凸部とが前記係止板の突設する方向に連なった凹凸部を有し、
前記開口部の前記手摺り棒の軸心と直交する対向二辺の間隔は、前記係止板の凸部の最大寸法よりも大きな寸法に形成されていることを特徴とする先行手摺り組立セット。
【請求項４】
前記脚柱取付部は、建枠の脚柱に対して着脱自在な固定手段を有していることを特徴とする請求項１に記載の先行手摺り組立セット。
【発明の詳細な説明】
【技術分野】
【０００１】
この発明は、例えば、土木、建築等の工事現場において、橋梁の脚柱の周りや建築物の外壁に沿って作業足場を組立てる際に使用する枠組足場用の先行手摺り組立セット並びに先行手摺り用支柱に関する。
【背景技術】
【０００２】
従来から、土木、建築等の工事現場では、鳥居型の建枠を使用した枠組足場が広く使用されている。
【０００３】
図１３に、従来の枠組足場の代表例として縦一列だけを斜視図で示す。
【０００４】
枠組足場を構築する建枠２０は、二本の脚柱２１を有し、脚柱２１の上端を腕木２２で連結している。腕木２２と脚柱２１の間は、連結補強材２３で補強している。建枠２０は左右上下に増設されることで、必要な大きさの作業足場が完成する。
【０００５】
隣り合った左右の建枠２０，２０相互間には筋交い２４を斜めに渡すと共に、腕木２２に足場板２６が水平に架設される。建枠２０の脚柱２１は管材が使われており、下段の建枠２０ａの脚柱２１ａの上端開口部と上段の建枠２０ｂの脚柱２１ｂの下端開口部とはジョイントピン２７によって連結されることで、縦方向に段数を重ねることができるようになっている。腕木２２の高さは一定であるから、各段毎に水平に連続した足場板２６による作業足場が構築される。
【０００６】
枠組足場を組み立てるときは、下段の枠組足場を作り、下段に上段の枠組足場を重ねていき、解体のときはこれとは逆に、上段から順次下段に向かって解体して行く。枠組足場の組み立て、解体に際しては、最上段の足場板２６の上面に立って組立、解体作業を行う。
【０００７】
しかしながら、組み立て時には最上段の足場板２６の周囲には、建枠２０の脚柱２１や手摺りがないので、作業者には転落の危険があるという問題点があった。
【０００８】
図１４に、従来の枠組足場の別の例を斜視図で示す。
【０００９】
図１３で示した枠組足場の危険を解消する枠組足場として、いわゆるＨ形枠組足場が提案がされている（特許文献１）。
【００１０】
このＨ型枠組足場にあっては、建枠２０には、脚柱２１の中間の高さに腕木２２を設けている。したがって、中間の高さの腕木２２に足場板２６を設けている。建枠２０には、腕木２２の架設箇所の上側に手摺り２８を設け、腕木２２の架設箇所の下側に筋交い２４を設けている。そこで、作業者は、最上段の足場板２６の上で組立、解体作業する場合には、作業者の周りに最上段を構成している建枠２０ｂの脚柱２１ｂの上半分が存在するため、その部分を利用して親綱を張り巡らせる等の手段を採用することで、作業者は安全に枠組足場の組立又は解体ができる。また、下段の足場板２６上で、上段の建枠２０ｂの脚柱２１ｂの上半分の部分に手摺り２８を取り付けるようにすれば、上段の足場板２６で作業するときには、既に足場板２６の周りには手摺り２８が存在することになり、作業者は安全に枠組足場を組立又は解体ができる。この方法は、最上段の足場板２６での作業に先行して手摺り２８が構築されることから、先行型の手摺り構築法と呼ばれ、そのための手摺りを先行手摺りと呼んでいる。
【００１１】
また、従来の枠組足場の形状を変えずに、先行型の手摺り構築法を採用したものも提案されている（特許文献２）。つまり、図１６で示した建枠２０の脚柱２１の上端部に、枠体をした手摺り枠を取り付けるための手摺り枠用ジョイントを追加的に設ける。手摺り枠用ジョイントは、手摺り枠が装着自在になるように工夫してある。上段の建枠２０を構築する前に、手摺り枠ジョイントを利用して手摺り枠を建枠２０の脚柱２１に取り付けておけば、下段の建枠２０を設けるときには、上段の手摺り枠が確保されていくことになる。
【特許文献１】実公平１−１８７５３号公報
【特許文献２】特開平７−５４４８０号公報
【発明の開示】
【発明が解決しようとする課題】
【００１２】
以上のように、改良を加えていない従来の枠組足場は、作業者の安全策が十分ではないという問題点があった。
【００１３】
一方、枠組足場は、組立と解体を繰り返しながら使用する仮設材であり、耐久性を考慮して製作されており、大量の枠組足場が今なお実用に耐えている。したがって、従来の枠組足場を早急に廃棄してＨ形枠組足場に全面的に切り替えることは、経済的コストがかかりすぎるという問題点がある。
【００１４】
また、従来の枠組足場に手摺り枠用ジョイントを設ける足場は、新たな形態の枠組足場を採用するものではなく、従来の枠組足場に簡単な造作を加えるだけで安全策を得ようとするものである。しかし、古い大量の枠組足場に手摺り枠用ジョイントを追加的に設けることは、手間が掛かり新たなコストの発生を招く。しかも、手摺り枠は、予めコの字型に形成した大型の金属製枠材を準備しておかなければならず、その搬送や、現場での組立又は解体に関する取り扱いが不便である。
【００１５】
そこで、この発明は、製造が容易であるため僅かな製造コストで足りるにもかからず、現場への搬送、現場での組立又は解体が容易な先行手摺り組立セット並びに先行手摺り用支柱を提供することを課題とする。
【課題を解決するための手段】
【００１６】
上記の課題を解決するため、この発明は以下の手段を採った。
【００１７】
請求項１に記載の先行手摺り用支柱に係る発明は、支柱本体の下端部に建枠の脚柱に固定する脚柱取付部を備え、前記支柱本体の少なくとも上端部に手摺り棒の両端部に設けた開口部が係合する手摺り棒係止部を備え、前記支柱本体の下端部と上端部との途中には建枠の腕木に掛ける腕木掛止部を有していることを特徴としている。
【００１８】
これにより、支柱の中央部に設けた腕木係止部を建枠の腕木の上部に掛けることで、建枠に対する支柱の上下方向の位置が定まり、支柱の下端部に設けた脚柱取付部にて支柱を建枠の脚柱に固定できる。この場合、脚柱取付部は上段の建枠の足場板より下側に位置するから、支柱の取付作業は地上又は下段の建枠の足場板上から実行できる。また、左右一対の支柱を建枠に取り付ける前に、支柱に設けた手摺り棒係止部に手摺り棒の支柱係合部を係合させてから、支柱を建枠の脚柱に取り付けるようにすれば、支柱が建枠に取り付けられた段階で、左右一対の支柱間には手摺り棒が存在することになる。
【００１９】
請求項２に記載の発明は、請求項１の構成に加えて、前記脚柱取付部は、建枠の脚柱に対して着脱自在な固定手段を有していることを特徴としている。
【００２０】
これにより、すべての段の建枠に支柱と手摺り棒とからなる先行手摺り組立セットを取り付けたままで現場作業を行うことができる。また、下段の建枠の腕木に上段の足場板を取り付けると共に下段の建枠の脚柱の上端開口部にジョイントを差し込み、上段の足場板上で左右一対の新たな（上段の）建枠の脚柱の下端開口部を前記ジョイントに差し込み上段の建枠を組み付け、その左右一対の建枠間に筋交いを取り付けて枠組足場を完成させることができる。次に、上段の足場板上で下段の建枠に取り付けられていた脚柱取付部の固定手段を解除して手摺り棒の付いた支柱を取り外し、その取り外した手摺り棒の付いた支柱を新たな建枠の脚柱に取り付けるといった作業を繰り返すことで、左右一対の支柱とその支柱に取り付けられた手摺り棒の組立セットを建枠の縦一列に対して１セットだけ使用して、常時最上段の建枠に転用して行くこともできる。
【００２１】
請求項３に記載の先行手摺り組立セットに係る発明は、支柱本体の下端部に建枠の脚柱に固定する脚柱取付部を備え、前記支柱本体の少なくとも上端部に手摺り棒係止部を備え、前記支柱本体の下端部と上端部との途中には建枠の腕木に掛ける腕木掛止部を有した支柱と、該支柱に組み合わす手摺り棒とを含み、前記手摺り棒は、両端に前記手摺り棒係止部と係合する支柱係合部を有しており、該支柱係合部には、少なくとも前記手摺り棒の軸心と平行な対向二辺と前記手摺り棒の軸心と直交する対向二辺とを有する略矩形状の開口部を形成しており、前記手摺り棒係止部は、前記開口部に差し込み可能な係止板をその板面が前記支柱本体の軸心と平行にして突設したものであり、
前記係止板には、前記手摺り棒の軸心と平行な対向二辺の間隔よりも狭い凹部と広い凸部とが前記係止板の突設する方向に連なる凹凸部を有し、前記開口部の前記手摺り棒の軸心と直交する対向二辺の間隔は、前記係止板の前記支柱本体の軸心と平行な凸部の最大寸法よりも大きな寸法に形成されていることを特徴としている。
【００２２】
これにより、支柱本体の中央部に設けた腕木係止部を建枠の腕木の上部に掛けることで、建枠に対する支柱の上下方向の位置が定まり、支柱の下端部に設けた脚柱取付部にて支柱を建枠の脚柱に固定できる。この場合、脚柱取付部は上段の建枠の足場板より下側に位置するから、支柱の取付作業は地上又は下段の建枠の足場板上から実行できる。また、左右一対の支柱を建枠に取り付ける前に、支柱に設けた手摺り棒係止部に手摺り棒の支柱係合部を係合させてから、支柱を建枠の脚柱に取り付けるようにすれば、支柱が建枠に取り付けられた段階で、左右一対の支柱間には手摺り棒が存在することになる。
【００２３】
また、係止板には、手摺り棒の軸心と平行な対向二辺の間隔よりも狭い凹部と広い凸部とが係止板の突設する方向に連なった凹凸部を有しており、開口部の手摺り棒の軸心と直交する対向二辺の間隔は、係止板の凸部の最大寸法よりも大きな寸法に形成されているから、手摺り棒の開口部を支柱の係止板に係合する際に、支柱の軸心と手摺り棒の軸心とが平行乃至傾斜するように手摺り棒を斜めに構えて係止板の突設方向に動かすことで、開口部が係止板の凸部に妨げられることなく取り付け取り外しが可能となる。他方、手摺り棒の軸心を支柱の軸心と直交させた場合には、そのままの状態で係止板の突設方向に手摺り棒を動かしても開口部が係止板の凸部を乗り越えることができないため、係止板から手摺り棒を取り外することができない。
【００２４】
請求項４に記載の発明は、請求項３の構成に加えて、前記脚柱取付部は、建枠の脚柱に対して着脱自在な固定手段を有していることを特徴としている。
【００２５】
これにより、すべての段の建枠に支柱と手摺り棒とからなる先行手摺り組立セットを取り付けたままで現場作業を行うことができる。また、下段の建枠の腕木に上段の足場板を取り付けると共に下段の建枠の脚柱の上端開口部にジョイントを差し込み、左右一対の新たな（上段の）建枠の脚柱の下端開口部を前記ジョイントに差し込み上段の建枠を組み付け、その左右一対の建枠間に筋交いを取り付けて枠組足場を完成させることができる。次に、上段の足場板上で下段の建枠に取り付けられていた脚柱取付部の固定手段を解除して手摺り棒の付いた支柱を取り外し、その取り外した手摺り棒の付いた支柱を新たな建枠の脚柱に取り付けるといった作業を繰り返すことで、左右一対の支柱とその支柱に取り付けられた手摺り棒の組立セットを建枠の縦一列に対して１セットだけ使用して、常時最上段の建枠に転用して行くこともできる。
【発明の効果】
【００２６】
請求項１乃至４に記載の発明によれば、従来の建枠に特別な造作を加える必要がないから経済的である。また、支柱に手摺り棒係止部が設けてあり、手摺り棒には支柱係合部が設けてあり、それぞれ別個の部品として取り扱うことができ、両者を別々に現場に搬入したり現場から搬出することができるから搬送作業が容易である。さらに、手摺り棒係止部と支柱係合部とを係合させて左右一対の支柱を左右一対の建枠の脚柱に取り付ければ、支柱と手摺り棒からなる手摺り枠体が容易に完成する。また、建枠への支柱の取り付けは、腕木掛止部の位置決め手段と脚柱取付部の固定手段により正確にしかも容易に行える。また、手摺り棒の軸心を支柱の軸心と直交させた場合には、そのままの状態で係止板の突設方向に手摺り棒を動かしても開口部が係止板の凸部を乗り越えることができないため、作業者の体が手摺り棒に触れたとしても手摺り棒は手摺り用支柱から脱落することがないので、作業者は安全に高所作業を行うことができる。
【００２７】
請求項２又は４に記載の発明によれば、手摺り用支柱の建枠への取り付け取り外しが容易であるから、左右一対の支柱とその支柱に取り付けられた手摺り棒の組立セットを建枠の縦一列に対して１セットだけ使用して、建枠を積層していく際に常時最上段の建枠に転用して行くことが難なく実行できるため、より安全作業を実現するための部材コストが少なくて済む。
【発明を実施するための最良の形態】
【００２８】
［発明の実施の形態１］
以下、この発明の実施の形態１に係る先行手摺り組立セットについて説明する。
【００２９】
実施の形態１に示したものは、支柱と支柱に組み合わせて使用する手摺り棒との組立セットの例を示す。例えば、従来の鳥居型の建枠などを生かし、下段の建枠を使用して、上段の建枠を組んで枠組足場を形成していく際に使用する。
【００３０】
図１に、この発明の実施の形態１に係る手摺り用支柱の外観図を示す。
【００３１】
支柱１は、建枠２０の脚柱２１に固定する脚柱取付部２を支柱本体３の下端部に備え、下端部と上端部との途中には比較的下端部寄りの高さに腕木掛止部３を有している。支柱本体３の上端部及び中央部には、手摺り係止部５を有している。支柱１は、この手摺り係止部５によって、手摺り棒を支柱１に着脱自在に取り付けられる。
【００３２】
図２に、脚柱取付部の拡大斜視図を示す。
【００３３】
脚柱取付部２は、支柱本体３から垂直に突き出た軸部２ａを備えている。軸部２ａの先端には、平面から見てほぼコ字形をしたコ字形板部材２ｂを接続している。コ字形板部材２ｂの開き幅は、中間部に段部を設けて先端側をより広くし、建枠２０の脚柱２１が支柱１に平行に貫通可能な第一の支柱貫通域２ｃをコ字形の内側に開いている。さらに、そのコ字形板部材２ｂの両先端部には、Ｌ字形のスリットを形成し楔挿通口２ｄを設け、断面Ｌ字形の楔２ｅを着脱自在に挿通している。
【００３４】
図３に、腕木掛止部の拡大斜視図を示す。
【００３５】
腕木掛止部４は、支柱本体３から垂直に水平保持板４ａを突き出している。水平保持板４ａは、Ｙ字形乃至Ｖ字形に成形してあり、先端側を二又に開いている。開いた二又箇所には、建枠２０の脚柱２１に対して同じ方向で支柱１が取り付け可能になるよう、脚柱２１が貫通可能な第二の支柱貫通域４ｂを開いている。二又に開いた水平保持板４ａの先端部には、水平に対して直角上方向に垂直板４ｃ，４ｄを立設し、二つを並立している。垂直板４ｃ，４ｄは、掛止ピン挿通口４ｅを共通で有し、鎖を備えた腕木掛止ピン４ｆを垂直板４ｃ，４ｄ間に着脱自在に挿通してある。この垂直板４ｃ，４ｄは、この腕木掛止ピン４ｆを腕木２２の上部に掛け、脚柱２１に対する支柱１の上下位置を決定すると共に支柱１が落下するのを防ぐ。
【００３６】
図４に、手摺り係止部の拡大側面図を示す。
【００３７】
手摺り係止部５は、その板面を支柱１の軸心方向と同じ方向に向けた（直立させた）係止板６を、支柱本体３から長さ方向を正面に突き出している。係止板６は、上下の辺縁に波形の凹凸を設けて形成してあり、これにより、手摺り棒１１が係止自在な凹部６ｂを係止板６の周縁部に有している。上縁は凸部６ａを２カ所と、これらに対応する凹部を２カ所設けてある。上縁の波形と下縁の波形は同調することなく、下縁は凸部６ａを３カ所と、これらに対応する凹部６ｂを２カ所を設けてある。係止板６の先端に位置する凸部６ａの端部は丸みを持たせることで、手摺り棒１１の開口部１３の取り付け取り外しを容易にすると共に作業者への安全を考慮した形状としている。
【００３８】
次に、手摺り係止部５に係合する手摺り棒１１について説明する。
【００３９】
図５に手摺り棒の中間部を省略した正面図、図６に端部の拡大斜視図を示す。
【００４０】
手摺り棒１１は、両端に支柱係合部１２を有している。手摺り棒１１は管体で形成してあり、その支柱係合部１２は、管体両端をそれぞれを前後から潰して部分的に垂直板部１２ａを形成し、その垂直板部１２ａの内側を略矩形にくり抜いて環状に形成してある。すなわち、手摺り棒１１には、一方の開口部１３ａと他方の開口部１３ｂとを設けている。
【００４１】
それぞれの開口部１３ａ，１３ｂは、支柱１の係止板６が差し込み自在な大きさにくり抜いてある。具体的には、開口部１３ａ，１３ｂは、図７に示したように、手摺り棒１１の軸心を支柱１の軸心と平行乃至傾斜して係止板６に宛ったときに、凸部５ａの最大寸法よりも大きな寸法を有する平行な対向二辺１３ｙ，１３ｙを有している。つまり、開口部１３ａ，１３ｂの手摺り棒１１の軸心と平行な対向二辺１３ｘ，１３ｘの間隔は、係止片６の凹部６ａよりも広く凸部６ｂよりも狭い寸法に形成されており、開口部１３ａ，１３ｂの手摺り棒１１の軸心と直交する対向二辺１３ｙ，１３ｙの間隔は、係止板６の支柱１の軸心と平行な凸部６ｂの最大寸法よりも小さな寸法に形成されている。
【００４２】
このため、手摺り棒１１を支柱１の軸心と平行乃至傾斜して係止板６に宛ったときに、手摺り棒１１の開口部１３ａ，１３ｂが係止板６の凸部６ｂを通過して一気に係止板６の付け根部まで到達することができる。
【００４３】
一方、手摺り棒１１を支柱１の軸心と直交させた場合（手摺り棒１１が直立した支柱１に取り付けられた水平な姿勢の場合）には、開口部１３ａ，１３ｂの手摺り棒１１の軸心と平行な対向二辺１３ｘ，１３ｘの間隔は、係止板６の支柱１の軸心と平行な凸部６ｂの最大寸法より小さい関係にあるから、係止板６に支柱係合部１２を係合させた状態では、手摺り棒１１の重心の関係で支柱係合部１２の垂直板部１２ａが垂直な姿勢に保たれる。そこで、この状態（手摺り棒１１が直立した支柱１に取り付けられた水平な姿勢）のまま係止板６の先端側へ手摺り棒１１を引っ張ったとしても、開口部１３ａ，１３ｂが係止板６の凸部６ｂを通過することができないから、手摺り棒１１は支柱１から取り外すことはできない。
【００４４】
ただし、係止板６の凹部６ａから凸部６ｂの先端までの差し渡し寸法を開口部１３ａ，１３ｂの手摺り棒１１の軸心と平行な対向二辺１３ｘ，１３ｘの間隔より僅かに小さい寸法に設定しておくことで、図８に示したように、開口部１３ａ，１３ｂの手摺り棒１１の軸心と平行な対向二辺１３ｘ，１３ｘの向かい合う壁の一方を係止板６の凹部６ａに接触させて手摺り棒１１の軸心を中心に垂直板部１２ａを係止板５の先端側へ対向二辺１３ｘ，１３ｘの向かい合う他方の壁が係止板６の凸部６ｂを乗り越えさせるといった動作を繰り返せば、手摺り棒１１は水平な状態のままでも手摺り棒１１を支柱１から取り外すことができる。しかしながら、これは作業者が意識的にそのような操作を行った場合であって、風が吹いたり作業者の体が手摺り棒１１に触れた程度では手摺り棒１１が係止板６から外れるようなことはないので、作業者の高所での安全作業が保証される。
【００４５】
図９に、開口部と係止板との位置関係を表す概念図を示す。
【００４６】
図９では、インチサイズを採用した枠組足場の係止板６の位置を実線（ハッチング有り）で示し、メートルサイズを採用した枠組足場の係止板６の位置を二点鎖線で示している。すなわち、一方の開口部１３ａと他方の開口部１３ｂとの間隔を、枠組足場のメートルサイズ（左右一対の建枠の軸心間隔１８００ｍｍ）及びインチサイズ（左右一対の建枠の軸心間隔１８２９ｍｍ）のいずれにも対応可能なように、余裕を持って大きくしている。こうすることで、一種類の手摺り棒がメートルサイズ及びインチサイズの枠組足場に兼用できるので、製造段階での標準化が図れ、作業者にとってはメートルサイズ及びインチサイズの枠組足場を構築する際に、間違った寸法の手摺り棒を使用するといった混乱がなくなると共に、施工業者においてはより少ない資材で多様な工事に対応できる利点が生じる。
［発明の実施の形態２］
【００４７】
以下、この発明の実施の形態２に係る先行手摺り組立セットについて説明する。
【００４８】
図１０に、この発明の実施の形態２に係る手摺り用支柱の側面図を示す。
【００４９】
実施の形態２の手摺り用支柱１では、実施の形態１のコ字形板部材２ｂと楔２ｅとの組み合わせに代え、脚柱取付部２として、クランプ部材７を設けており、その他の構成については、実施の形態１と同じである。また、手摺り棒１１については、実施の形態１と同じである。
【００５０】
手摺り用支柱１に取り付けられるクランプ部材７は、支柱本体３から垂直に突き出た軸部２ａの先端に固着されたクランプ本体７ａと、クランプ本体７ａに揺動自在に取り付けられたクランプねじ７ｂと、クランプねじ７ｂをクランプ本体７ａに対して揺動自在に支持するねじ回動軸７ｃと、クランプ本体７ａに開閉自在に取り付けられた開閉蓋７ｄと、開閉蓋７ｄをクランプ本体に対して開閉自在に支持する開閉軸７ｅなどを有している。
【００５１】
実施の形態２にあっては、クランプ部材７を設けることで脚柱取付部２は脚柱２１に締着可能となるから、コ字形板部材２ｂと楔２ｅとの組み合わせによる楔方式を使用している実施の形態１の場合に比べ、より信頼性の高い固定手段が得られる。
【００５２】
以下、実施の形態２の先行手摺り組立セットの使用方法を説明する。
【００５３】
枠組足場の構築の様子を表した概念図を図１１に示す。
【００５４】
図１１は枠組足場を側面から見た状態を示している。構築が終わった下段の建枠２０ａを実線で示し、構築予定の上段の建枠２０ｂを二点鎖線で示している。下段には、建枠２０ａ、筋交い２４、足場板２６などが既に取り付けてある。作業者は、下段の足場板２６上にいて上段の手摺り用支柱１と手摺り棒１１とを組んでいく。
【００５５】
最初に手摺り棒１１を一方の支柱１に架けるときは、図７に示したように、一方の支柱１に対して手摺り棒１１を傾けるようにして行う。そして、手摺り棒１１を他方の支柱１に対して傾けながら架けるときは、図１２に示したように、既に下段の建枠２０ａの脚柱２１ａに固定されている一方の支柱１の手摺り係止部５を回動軸として、他方の支柱１を持ち上げて、その腕木係止部４を下段の建枠２０ａの腕木２２の上に掛けて上下位置を定めてからクランプ部材７にて固定する。
【００５６】
枠組足場の構築に当たり、正面から見て手摺り棒１１を傾けて手摺り棒１１の一方の開口部１３ａを左右一対の支柱１のいずれか一方の手摺り係止部５に係合する。次に、支柱１の中央部に設けた腕木係止部４を建枠２０の腕木２２の上部に掛けることで、建枠２０に対する支柱１の上下位置を定める。具体的には、留め金ピン挿通口４ｅから腕木掛止ピン４ｆを外しておき、下段の脚柱２１ａの上部を腕木係止部４の第一の支柱貫通域４ｂ内に挿通してから、留め金ピン挿通口４ｅに腕木掛止ピン４ｆを挿入して、腕木２２の上に腕木掛止ピン４ｆを引っ掛けるといった手順を経る。
【００５７】
次に、支柱１の下端部に設けたクランプ部材（脚柱取付部）７にて支柱１を建枠２０の脚柱２１に固定する。クランプ部材（脚柱取付部）７はクランプねじ７ｂに螺合しているナットを緩めて、クランプねじ７ｂから開閉蓋７ｄを解除した状態で、クランプ部材（脚柱取付部）７内に建枠２０の脚柱２１を挿入してから開閉蓋７ｄを閉じて、クランプねじ７ｂを回動して開閉蓋７ｄの上にナットを係止し、そのナットを締め込んでいくことでクランプ部材（脚柱取付部）７で支柱１を建枠２０の脚柱２１に強固に取り付ける。
【００５８】
この場合、クランプ部材（脚柱取付部）７は上段の建枠２０ｂの足場板２６より下側に位置するから、支柱１の取付作業は地上又は下段の建枠２０ａの足場板２６上から実行できる。次に、手摺り棒１１の他方の開口部１３ｂを他方の支柱１の手摺り係止部４に係合する。次に、この他方の支柱１を最初に下段の建枠２０ａに固定した一方の支柱１と向かい合っている反対側の建枠２０ａの脚柱２１ａに近づけていき、腕木係止部４を建枠２０ａの腕木２２の上に掛けることで、反対側の建枠２０ａに対する他方の支柱１の上下位置を定めて、他方の支柱１の下端部に設けたクランプ部材（脚柱取付部）７にて他方の支柱１を建枠２０ａの脚柱２１ａに固定する。
【００５９】
以上のような手順で左右一対の支柱１，１を左右一対の建枠２０，２０の脚柱２１に取り付けるようにすれば、支柱１が建枠２０に取り付けられた段階で、左右一対の支柱１，１の間、つまり左右一対の建枠２０，２０の間には手摺り棒１１が水平な状態で存在することになる。
【００６０】
そして、下段の建枠２０ａの脚柱２１ａの上端開口部にジョイント２７を差し込み、上段の足場板２６上で左右一対の新たな（上段の）建枠２０ｂ，２０ｂの脚柱２１ｂの下端開口部をジョイント２７に差し込み上段の建枠２０ｂを組み付ける。次に、その左右一対の建枠２０ｂ，２０ｂ間に筋交い２４を取り付けて上段の枠組足場を完成させる。
【００６１】
次に、下段の建枠２０ａに取り付けられていた脚柱取付部２の固定手段であるクランプ部材７の締着を解除して、手摺り棒１１の付いた支柱１を下段の建枠２０ａの脚柱２１ａから取り外し、その取り外した手摺り棒１１の付いた支柱１を新たな（上段の）建枠２０ｂの脚柱２１ｂに取り付けるといった作業を繰り返す。これにより、左右一対の支柱１，１とその支柱１に取り付けられた手摺り棒１１との組立セットを左右一対の建枠２０，２０の縦一列に対して１セットだけ使用して、建枠２０を積層していく際に常時最上段の建枠２０に転用して行くことで、縦一列の枠組足場に対して組立セットを一セット使用するだけで各段毎の足場板２６上での安全作業が可能となる。
【００６２】
この例によれば、先行手摺り組立セットは下段から上段に枠組足場を一段一段構築する度に取り外しと取り付けを繰り返すが、一旦取り付けた先行手摺り組立セットは取り外さないで順次上方に建枠２０と一緒に新たな先行手摺り組立セットを取り付けていき、各段毎に先行手摺り組立セットを備え付けるようにしてもよい。この場合には、一単位であるすべての枠組足場毎に先行手摺り組立セットが必要になるが、各段毎の取り外し作業が不要となる。いずれの方式を採用するかは、施工業者が工事の態様によって適宜選択すればよい。
【００６３】
なお、支柱１の手摺り係止部５は、少なくとも支柱本体３の上端部に一つ設ければよいが、実施の形態１及び２に示したように、その長手方向に所定の間隔を置いて２つ設けることで手摺り棒１１を２本平行に配置することで、枠組足場の開口部をより小さくして作業の安全性を高めることが望ましい。
【図面の簡単な説明】
【００６４】
【図１】この発明の実施の形態１に係る手摺り用支柱の外観図である。
【図２】同実施の形態１に係る手摺り用支柱の脚柱取り付け部の拡大斜視図である。
【図３】同実施の形態１に係る手摺り用支柱の腕木掛け部の拡大斜視図である。
【図４】同実施の形態１に係る手摺り用支柱の手摺り係止部の拡大斜視図である。
【図５】同実施の形態１に係る手摺り棒の中間部を省略した正面図である。
【図６】同実施の形態１に係る手摺り棒の端部の拡大斜視図である。
【図７】同実施の形態１に係る手摺り棒の一端を一方の支柱の手摺り係止部に取り付ける状態を示した要部拡大図である。
【図８】同実施の形態１に係る手摺り棒の開口部を支柱の手摺り係止部に取り付けた状態を示した一部断面の側面図である。
【図９】同実施の形態１に係る手摺り棒の開口部と係止板との位置関係を表す概念図である。
【図１０】この発明の実施の形態２に係る手摺り用支柱の側面図である。
【図１１】同実施の形態２に係る先行手摺り組立セットを使用した枠組足場の構築の様子を表した側面から見た概念図である。
【図１２】同実施の形態２に係る先行手摺り組立セットを使用した枠組足場の構築の様子を表した正面から見た概念図である。
【図１３】鳥居型の建枠を使用した従来の枠組足場の完成状態を示した斜視図である。
【図１４】Ｈ型の建枠を使用した従来の枠組足場の完成状態を示した斜視図である。
【符号の説明】
【００６５】
１  支柱
２  脚柱取付部
３  支柱本体
４  腕木掛止部
５  手摺り棒係止部
６  係止板
６ａ  凸部
６ｂ  凹部
７  クランプ部材（脚柱取付部）
１１  手摺り棒
１２  支柱係合部
１３ａ，１３ｂ  開口部
【図１】
2005220534.tif 000003
【図２】
2005220534.tif 000004
【図３】
2005220534.tif 000005
【図４】
2005220534.tif 000006
【図５】
2005220534.tif 000007
【図６】
2005220534.tif 000008
【図７】
2005220534.tif 000009
【図８】
2005220534.tif 000010
【図９】
2005220534.tif 000011
【図１０】
2005220534.tif 000012
【図１１】
2005220534.tif 000013
【図１２】
2005220534.tif 000014
【図１３】
2005220534.tif 000015
【図１４】
2005220534.tif 000016